(57)【要約】【課題】手指を出し入れすることで、簡単かつ容易に、しかも手指の全周を指先から付け根に向かって広い範囲で効果的に指圧する。【解決手段】指圧具は、外筒１と、この外筒１の内側に筒状に配置してなる複数の指圧粒２と、複数の指圧粒２を外筒１の内側に向かって突出できるように移動自在に配置しているホルダー３と、このホルダー３で所定の位置に配置される複数の指圧粒２を内側に向かって弾性的に突出させる弾性体４とを備えている。指圧具は、複数の指圧粒２をホルダー３で筒状に配置しており、筒状に配置される指圧粒２の内側に指を挿入して、弾性体４で指圧粒２を押圧して指の表面を指圧する。【選択図】図７
2010104050.tif 000002
【特許請求の範囲】
【請求項１】
外筒(1)と、この外筒(1)の内側に筒状に配置してなる複数の指圧粒(2)と、複数の指圧粒(2)を外筒(1)の内側に向かって突出できるように移動自在に配置しているホルダー(3)と、このホルダー(3)で所定の位置に配置される複数の指圧粒(2)を内側に向かって弾性的に突出させる弾性体(4)とを備えており、
前記複数の指圧粒(2)がホルダー(3)で筒状に配置されて、筒状に配置される指圧粒(2)の内側に指を挿入して、弾性体(4)で指圧粒(2)を押圧して指の表面を指圧するようにしてなる指圧具。
【請求項２】
外筒(1)と、この外筒(1)の内側に筒状に配置してなる複数の指圧粒(2)と、複数の指圧粒(2)を外筒(1)の内側に向かって突出できるように移動自在に配置しているホルダー(3)とを備えており、
前記ホルダー(3)で所定の位置に配置される複数の指圧粒(2)を、磁気的な力で内側に向かって突出させる永久磁石(6)を備えており、
前記複数の指圧粒(2)がホルダー(3)で筒状に配置されて、筒状に配置される指圧粒(2)の内側に指を挿入して、永久磁石(6)の磁気的な力で内側に突出する指圧粒(2)で指の表面を指圧するようにしてなる指圧具。
【請求項３】
前記指圧粒(2)が球形で、回転自在にホルダー(3)に連結している請求項１または２に記載される指圧具。
【請求項４】
前記ホルダー(3)が、指圧粒(2)を案内する複数の貫通孔(5)を有し、この貫通孔(5)は指圧粒(2)を内側に突出させながら、内側に抜けないが外側には移動できる形状としている請求項１または２に記載される指圧具。
【請求項５】
前記指圧粒(2)が永久磁石(6)である請求項１ないし４のいずれかに記載される指圧具。
【請求項６】
前記弾性体(4)がゴム状弾性筒(4A)で、このゴム状弾性筒(4A)をホルダー(3)と外筒(1)との間に配設してなる請求項１に記載される指圧具。
【請求項７】
前記複数の指圧粒(2)が筒状に配置されたホルダー(3)を、潤滑シート(7)で被覆している請求項１または６に記載される指圧具。
【請求項８】
前記外筒(1)が円筒状で、前記指圧粒(2)がリング状に配置され、さらに、リング状の指圧粒(2)が円筒状に配置されてなる請求項１ないし７のいずれかに記載される指圧具。
【請求項９】
４個〜８個の指圧粒(2)がリング状に配置されてなる請求項８に記載される指圧具。
【請求項１０】
リング状の指圧粒(2)が３段〜１０段に配置されて円筒状に配置されてなる請求項８に記載される指圧具。
【請求項１１】
前記球形の指圧粒(2)の外径が５ｍｍ〜８ｍｍである請求項３に記載される指圧具。
【発明の詳細な説明】
【技術分野】
【０００１】
本発明は、手の指を指圧する指圧具に関し、とくに、指を出し入れして指圧できる指圧具に関する。
【背景技術】
【０００２】
指の指圧具は開発されている。（特許文献１及び２参照）
特許文献１に記載される指圧具を図１に示す。この指圧具について、特許文献１は、解決手段に以下のように記載している。「手指と、小指球の部位を含む手の平の各部位で把持するに適した太さと長さを有し、かつ中間部を細くし、該中間部から次第に両端を膨らませてなる指圧器本体８１を具備し、該指圧器本体８１の外周に手指等に適当の刺激を与える多数の角錐状の突起８２を設けてなり、さらに前記指圧器本体８１の両端の蓋板８４の偏心位置に設けた係止突起８３に湾曲状に屈曲したビニール樹脂製の指掛け帯８６の両端の複数の係止孔８８のうちの一つの係止孔８８を嵌合係止させる。」この指圧具は、指圧器本体８１の表面に設けた多数の突起８２で手の指を指圧する。【０００３】
特許文献２は、図２に示す芳香具兼用指圧用ブレスレットを記載している。この指圧具は、複数の玉状磁石９１と、複数の玉状の芳香ビーズ９２とを連結用の紐９３に挿通してリング状としている。この指圧具は、手首にかけて手首を指圧し、また、指にかけてブレスレットとして指圧する。
【先行技術文献】
【特許文献】
【０００４】
【特許文献１】特開平９−５６７７６号公報
【特許文献２】特開２００７−１４７３４号公報
【発明の概要】
【発明が解決しようとする課題】
【０００５】
図１と図２に示す指圧具は、手の指の表面を簡単に、しかも広い面積で効果的に指圧できない。図１の指圧具は、ロール状の指圧器本体を指の表面に押し付けて指圧するので、指の全周を効果的に指圧できない欠点がある。また、図２の指圧用ブレスレットは、指に沿って軸方向に移動するのが難しく、指の表面を広い面積で効果的に指圧できない欠点がある。【０００６】
本発明は、以上の欠点を解決することを目的に開発されたものである。本発明の重要な目的は、手指を出し入れすることで、簡単かつ容易に、しかも手指の全周を指先から付け根に向かって広い範囲で効果的に指圧できる指圧具を提供することにある。
【課題を解決するための手段及び発明の効果】
【０００７】
本発明の指圧具は、外筒１と、この外筒１の内側に筒状に配置してなる複数の指圧粒２と、複数の指圧粒２を外筒１の内側に向かって突出できるように移動自在に配置しているホルダー３と、このホルダー３で所定の位置に配置される複数の指圧粒２を内側に向かって弾性的に突出させる弾性体４とを備えている。指圧具は、複数の指圧粒２をホルダー３で筒状に配置しており、筒状に配置される指圧粒２の内側に指を挿入して、弾性体４で指圧粒２を押圧して指の表面を指圧する。
【０００８】
以上の指圧具は、手指を出し入れして、簡単かつ容易に、しかも指の全周を指先から付け根に向かって広い範囲で効果的に指圧できる特徴がある。それは、筒状に配置している複数の指圧粒を弾性体で内側に弾性的に押圧しているので、筒状に配置された指圧粒の内側に手指を出し入れして、手指の表面を指圧できるからである。
【０００９】
本発明の指圧具は、外筒１と、この外筒１の内側に筒状に配置してなる複数の指圧粒２と、複数の指圧粒２を外筒１の内側に向かって突出できるように移動自在に配置しているホルダー３とを備える。さらに、指圧具は、ホルダー３で所定の位置に配置される複数の指圧粒２を磁気的な力で内側に向かって突出させる永久磁石６を備えている。指圧具は、複数の指圧粒２をホルダー３で筒状に配置しており、筒状に配置される指圧粒２の内側に指を挿入して、永久磁石６の磁気的な力で内側に突出する指圧粒２で指の表面を指圧する。
【００１０】
以上の指圧具は、手指を出し入れして、簡単かつ容易に、しかも指の全周を指先から付け根に向かって広い範囲で効果的に指圧できる特徴がある。それは、筒状に配置している複数の指圧粒を永久磁石の磁気的な力でホルダーの内側に突出させて、筒状に配置された指圧粒の内側に手指を出し入れして、手指の表面を指圧できるからである。
【００１１】
本発明の指圧具は、指圧粒２を球形として、回転自在にホルダー３に連結することができる。
この指圧具は、筒状に配置している指圧粒の内側に手指をスムーズに挿入して、効果的に指圧できる特徴がある。それは、挿入される手指で指圧粒が回転されるので、挿入される手指の表面を指圧粒が回転しながら指圧するからである。
【００１２】
本発明の指圧具は、ホルダー３が、指圧粒２を案内する複数の貫通孔５を有すると共に、この貫通孔５は、指圧粒２を内側に突出させながら、内側に抜けないが外側には移動できる形状とすることができる。
この指圧具は、簡単な構造のホルダーで多数の指圧粒を定位置に配置でき、しかも各々の指圧粒を弾性体で貫通孔に配置し、あるいは永久磁石の磁気的な力で指圧粒を貫通孔に配置して、指圧粒を手指の表面に向かって押圧して指圧できる。
【００１３】
本発明の指圧具は、指圧粒２を永久磁石６とすることができる。
この指圧具は、指圧粒の永久磁石でもって、挿入される手指の表面に磁力線を照射するので、手指を磁力線で刺激しながら指圧できる特徴がある。とくに、指圧粒を球形としてこれを永久磁石とする指圧具は、挿入される手指で指圧粒が回転されるので、手指を刺激する磁力線を変化させて、より効果的に刺激できる。
【００１４】
本発明の指圧具は、弾性体４をゴム状弾性筒４Ａとして、ホルダー３と外筒１との間に配設することができる。
この指圧具は、簡単な構造としながら、各々の指圧粒を内側に弾性的に突出できる。このため、各々の指圧粒でもって、挿入される手指の表面を押圧して効果的に指圧できる。
【００１５】
本発明の指圧具は、複数の指圧粒２が筒状に配置されたホルダー３を、潤滑シート７で被覆することができる。
この指圧具は、ホルダーを被覆する潤滑シートでもって、複数の指圧粒を筒状に配置した状態に保持しながら、このホルダーを弾性体の内側にスムーズに挿入できる特長がある。とくに、ゴム状弾性筒である弾性体の内側にスムーズに挿入できる。
【図面の簡単な説明】
【００１６】
【図１】従来の指圧具の一例を示す斜視図である。
【図２】従来の指圧具の他の一例を示す平面図である。
【図３】本発明の一実施例にかかる指圧具の分解斜視図である。
【図４】図３に示す指圧具の分解斜視図である。
【図５】本発明の一実施例にかかる指圧具の一部拡大縦断面図である。
【図６】図５に示す指圧具の一部拡大横断面図である。
【図７】図５に示す指圧具に手指を挿入する状態を示す断面図である。
【図８】本発明の他の実施例にかかる指圧具の横断面図である。
【図９】本発明の他の実施例にかかる指圧具の縦断面図である。
【図１０】図９に示す指圧具の横断面図である。
【図１１】本発明の他の実施例にかかる指圧具の縦断面図である。
【図１２】本発明の他の実施例にかかる指圧具の横断面図である。
【発明を実施するための形態】
【００１７】
以下、本発明の実施例を図面に基づいて説明する。ただし、以下に示す実施例は、本発明の技術思想を具体化するための指圧具を例示するものであって、本発明は指圧具を以下のものに特定しない。
【００１８】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１９】
図３ないし図７に示す指圧具は、外筒１と、この外筒１の内側に筒状に配置している複数の指圧粒２と、複数の指圧粒２を外筒１の内側に向かって突出できるように移動自在に配置しているホルダー３と、このホルダー３で所定の位置に配置される複数の指圧粒２を内側に向かって弾性的に突出させる弾性体４とを備えている。
【００２０】
外筒１は円筒状で、手指を挿入する端部を開口している。外筒１は、内部に弾性体４とホルダー３と指圧粒２とを配置して、筒状に配置する指圧粒２の内側に手指を挿入できるように、その外径を３ｃｍ〜７ｃｍとしている。手指の太さは個人差によって異なり、また小指が最も細く、親指が最も太い。外筒１は、太さが異なる手指を挿入できる筒状に指圧粒２を配置できる外径に設計される。さらに、外筒１は、複数の指圧粒２を軸方向に離して配置できるように、その長さを、たとえば３ｃｍ〜５ｃｍとしている。長い外筒は、多数の指圧粒を軸方向に多段に離して配置できるので、手指を挿入してより効果的に指圧できる。たとえば、外筒を長くして、複数の指圧粒を軸方向に離して５段に配置している指圧具は、手指を１回出し入れして、指先を挿入するときに５回、引き抜くときに５回、合計で１０回も指圧できる。外筒は、両端を開口する形状として、手指を一端から挿入して他端に突出するように出し入れできる。この外筒１は、短くして手指を指圧できる。ただし、手指よりも長い外筒は、必ずしも両端を開口することなく、手指を挿入する一端を開口して、他端を閉塞することもできる。
【００２１】
指圧粒２は、外筒１の内側に筒状に配置される。複数の指圧粒２はリング状に配置され、かつ外筒１の軸方向に離して配置されて、手指を挿入できる筒状に配置される。複数の指圧粒２は、内側に手指を挿入して指圧できる筒状に配置される。図７の断面図に示すように、複数の指圧粒２で形成される筒状の内径（Ｒ）は、手指の太さ、すなわち手指の外径（Ｄ）よりも小さくして、ここに挿入される手指を指圧する。軸方向に離して多段のリング状に配置される指圧粒２は、たとえば３段〜１０段、好ましくは３段〜７段、さらに好ましくは３段〜５段のリング状に配置される。指圧粒２は、たとえば４個〜８個をリング状に配置し、さらに、リング状の指圧粒２を３段〜１０段に配置して、筒状、好ましくは円筒状に配置される。
【００２２】
図の指圧粒２は球形である。球形の指圧粒２は金属球として、強固でスムーズに回転できるようにホルダー３に配置できる。ただ、指圧粒は、硬質のプラスチックで成形することもできる。プラスチックや金属製の指圧粒２は、表面をフッ素樹脂でコーティングして摩擦抵抗を小さくできる。この指圧粒２は、ホルダー３の貫通孔５に配置してスムーズに回転できる。さらに、指圧粒２は、球形の永久磁石６として、手指に磁気刺激を与えることができる。球形の永久磁石６は、ネオジウム磁石やフェライト磁石等を球形としたもので、対向する面をＮ極とＳ極としている。球形の指圧粒２は、その外径を５ｍｍ〜８ｍｍとして、手指を効果的に指圧しながら、挿入される手指でスムーズに回転できる。ただし、本発明の指圧具は、指圧粒を必ずしも球形として、挿入される手指で回転する構造とする必要はない。手指を指圧粒の表面に滑らせて、筒状に配置している指圧粒の内側に挿入して、指圧粒で指圧できるからである。この指圧粒は、多角柱状や楕円柱状、あるいは多角錘台状や円錐台状とすることができる。
【００２３】
ホルダー３は、複数の指圧粒２を筒状に配置している。図のホルダー３はプラスチックを円筒状に成形したもので、指圧粒２を案内する貫通孔５を設けている。貫通孔５は、ここに案内している指圧粒２を、内側に突出させながら、抜けないが、外側には移動できるように配置している。指圧粒２の外側には、弾性体４であるゴム状弾性筒４Ａと外筒１を配置している。ゴム状弾性筒４Ａと外筒１は、指圧粒２がホルダー３の外側に抜け落ちるのを防止している。したがって、ホルダー３の貫通孔５に、外側に移動できるように配置している指圧粒２は、ゴム状弾性筒４Ａや外筒１で外側に抜けないように配置される。この貫通孔５は、図５と図６の一部拡大断面図に示すように、内側の内形を指圧粒２の外形よりも小さく、外側の内形を指圧粒２の外形よりも大きくしている。図に示すように、球形の指圧粒２を配置する貫通孔５は、円形に開口すると共に、内面をテーパー面として、内側の内径（ｄ1）を指圧粒２の外径（ｒ）よりもわずかに、たとえば０．２ｍｍ〜１ｍｍ小さくして、指圧粒２を内側に突出させながら抜けないように配置できる。また、内面をテーパー面とする貫通孔５は、外側の内径（ｄ2）を球形の指圧粒２の外径（ｒ）よりも大きくして、指圧粒２を外側に移動できるように配置している。ホルダー３は、貫通孔５に指圧粒２を入れて定位置に配置する。したがって、ホルダー３は、指圧粒２を配置する位置に貫通孔５を設けている。
【００２４】
さらに、複数の指圧粒２を筒状に配置したホルダー３は、外側を潤滑シート７で被覆している。この潤滑シート７は、ホルダー３の定位置に配置された指圧粒２と、弾性体４であるゴム状弾性筒４Ａの内面との摩擦を小さくして、ホルダー３をゴム状弾性筒４Ａの内側にスムーズに挿入できるようにしている。この潤滑シート７には、たとえば、ガラス繊維を含むシート材が使用できる。図４に示す潤滑シート７は、全体の形状を筒状としており、ホルダー３の貫通孔５に入れた指圧粒２の外側を被覆して、複数の指圧粒２を貫通孔５から外側に抜け落ちないように保持している。さらに、潤滑シート７は、ホルダー３と指圧粒２の外側を被覆する状態で、ゴム状弾性筒４Ａの内側にスムーズに挿入できるようにしている。
【００２５】
弾性体４は、ホルダー３の貫通孔５に配置される指圧粒２を内側に向かって弾性的に押圧する。図の指圧具は、弾性体４をゴム状弾性筒４Ａとして、ホルダー３と外筒１との間に配設している。ゴム状弾性筒４Ａは、たとえば軟質のプラスチックを発泡成形したもので、弾性変形して指圧粒２を弾性的に押圧する。この弾性体４は、簡単な構造としながら、各々の指圧粒２を独立して押し出しできる。ただ、弾性体には、金属バネも使用できる。金属バネの弾性体は、弾性変形できる金属板を波形として、これを円筒状に加工したものが使用できる。この弾性体も、ホルダーと外筒との間に配置されて、指圧粒を内側に弾性的に押し出すように押圧する。
【００２６】
以上の指圧具は、筒状に配置している複数の指圧粒２の内側に手指を出し入れして、指圧する。指圧具に挿入される手指は、筒状に配置している多数の指圧粒２に押されて指圧される。手指を挿入すると、指圧粒２は手指を指圧しながら手指でホルダー３の外側に押し出されるが、ホルダー３の外側には弾性体４を配置しているので、弾性体４で指圧粒２が押し戻されて、手指の表面を指圧する。この構造の指圧具は、指先を特に効果的に指圧できる特徴がある。また、リング状に配置している指圧粒２を、さらに軸方向に離して多段に配置しているので、挿入される指先は多段に配置している指圧粒２で何回も繰り返し指圧される。
【００２７】
以上の実施例の指圧具は、ホルダー３と外筒１との間に弾性体４を配置しており、ホルダー３の定位置に配置される複数の指圧粒２を、この弾性体４で内側に向かって弾性的に突出させている。ただ、本発明の指圧具は、必ずしもホルダーと外筒との間に弾性体を配置する必要はなく、ホルダーの定位置に配置される複数の指圧粒を、永久磁石の磁気的な力でホルダーの内側に向かって突出させることもできる。
【００２８】
図８に示す指圧具は、複数の指圧粒２を球形の永久磁石６としている。球形の永久磁石６は、ネオジウム磁石やフェライト磁石等を球形としたもので、対向する面をＮ極とＳ極としている。ホルダー３に設けた貫通孔５に配置される複数の永久磁石６は、図に示すように、隣接する永久磁石間で互いに引き合う力が作用し、この吸着力によってホルダー３の内側に向かって突出する。この指圧具は、ホルダー３の定位置に筒状に配置している複数の永久磁石６である指圧粒２が、互いに吸着し合う力で内側に突出して、指圧具に挿入される手指を指圧する。さらに、この指圧具は、球形の永久磁石６でもって、挿入される手指の表面に磁力線を照射するので、手指を磁力線で刺激しながら指圧できる特徴がある。
【００２９】
さらに、複数の指圧粒２を永久磁石６とする指圧具は、図９と図１０に示すように、ホルダー３を磁性金属として、永久磁石６である指圧粒２が磁性金属であるホルダー３を吸着する力で、指圧粒２をホルダー３の内側に向かって突出させることもできる。図に示すホルダー３は、内側と外側を異なる材質の２層構造としており、内側を磁性金属で成形してなる吸着層３Ａとして、外側を非磁性部材で成形してなる非吸着層３Ｂとしている。このホルダー３は、磁性金属からなる吸着層３Ａを鉄製の筒体とし、非磁性部材からなる非吸着層３Ｂをプラスチックとしている。ホルダー３は、吸着層３Ａと非吸着層３Ｂの両方に、指圧粒２をホルダー３の内側に突出させる貫通孔５を開口している。このホルダー３は、永久磁石６を外側の非吸着層３Ｂに吸着させることなく、内側の吸着層３Ａに吸着させるので、永久磁石６である指圧粒２をホルダー３の内側に向かって確実に吸着させて、ホルダー３の内側に突出できる。この指圧具は、ホルダー３の定位置に筒状に配置している複数の永久磁石６である指圧粒２が、磁性金属であるホルダー３の吸着層３Ａを吸着する吸着力で内側に突出して、指圧具に挿入される手指を指圧する。
【００３０】
さらに、複数の指圧粒を、永久磁石の磁気的な力でホルダーの内側に向かって突出させる指圧具は、指圧粒を永久磁石とすることなく、金属球として、金属球である指圧粒を永久磁石の磁気的な力でホルダーに引きつけて、ホルダーの内側に突出させることもできる。
【００３１】
図１１に示す指圧具は、指圧粒２を球形の金属球とすると共に、ホルダー３を磁性金属として、この磁性金属に永久磁石６を磁気結合させている。図に示すホルダー３は、内側と外側を異なる材質の２層構造としており、内側を磁性金属で成形してなる吸着層３Ａとして、外側を非磁性部材で成形してなる非吸着層３Ｂとしている。このホルダー３は、磁性金属からなる吸着層３Ａを鉄製の筒体とし、非磁性部材からなる非吸着層３Ｂをプラスチックとしている。ホルダー３は、吸着層３Ａと非吸着層３Ｂの両方に、指圧粒２をホルダー３の内側に突出させる貫通孔５を開口している。さらに、ホルダー３の上下には、リング状の永久磁石６を配置しており、この永久磁石６を、磁性金属である吸着層３Ａに磁気結合させている。リング状の永久磁石６は、対向する面をＮ極とＳ極としている。吸着層３Ａの上下に配置される永久磁石６は、互いに対向する面の極性が同じになるように吸着層３Ａに連結している。この指圧具は、永久磁石６に磁気結合された磁性金属であるホルダー３の吸着層３Ａが、金属球である指圧粒２を吸着する吸着力で、指圧粒２をホルダー３の内側に向かって突出させる。すなわち、この指圧具は、ホルダー３の定位置に筒状に配置している複数の金属球である指圧粒２が、ホルダー３の吸着層３Ａに吸着される吸着力で内側に突出して、指圧具に挿入される手指を指圧する。
【００３２】
さらに、図１２に示す指圧具は、指圧粒２を球形の金属球とすると共に、ホルダー３の内部に永久磁石６を配置している。図に示すホルダー３は、全体をプラスチックで成形して、内部に永久磁石６を埋設している。ホルダー３は、内面側に接近して、複数の永久磁石６を埋設している。図に示す永久磁石６は棒磁石で、ホルダー３の内面に沿う湾曲形状とすると共に、両端をＮ極とＳ極としている。ホルダー３の内部に配置された複数の永久磁石６は、貫通孔５に配置される金属球である指圧粒２を吸着する。すなわち、この指圧具は、ホルダー３の定位置に筒状に配置している複数の金属球である指圧粒２が、ホルダー３の永久磁石６に吸着される吸着力で内側に突出して、指圧具に挿入される手指を指圧する。さらに、この指圧具は、複数の永久磁石６でもって、挿入される手指の表面に磁力線を照射するので、手指を磁力線で刺激しながら指圧できる特徴がある。
【００３３】
さらに、図１１と図１２に示す指圧具は、指圧粒２を球形の永久磁石とすることもできる。この指圧具は、ホルダーに磁気結合された永久磁石の磁力、またはホルダーに埋設された永久磁石の磁力と、永久磁石である指圧粒の磁力の相乗効果によって、より強い吸着力で指圧粒をホルダーの内側に突出させて手指を指圧できる。
【産業上の利用可能性】
【００３４】
指圧具は、手指を出し入れすることで、効果的に指圧できる。とくに、リラックスに効果のある指圧のツボがある指先を効果的に指圧できるので、手指を出し入れしてリラックスできる。
【符号の説明】
【００３５】
１…外筒
２…指圧粒
３…ホルダー            ３Ａ…吸着層
３Ｂ…非吸着層
４…弾性体              ４Ａ…ゴム状弾性筒
５…貫通孔
６…永久磁石
７…潤滑シート
８１…指圧器本体
８２…突起
８３…係止突起
８４…蓋板
８６…指掛け帯
８８…係止孔
９１…玉状磁石
９２…芳香ビーズ
９３…紐
【図１】
2010104050.tif 000003
【図２】
2010104050.tif 000004
【図３】
2010104050.tif 000005
【図４】
2010104050.tif 000006
【図５】
2010104050.tif 000007
【図６】
2010104050.tif 000008
【図７】
2010104050.tif 000009
【図８】
2010104050.tif 000010
【図９】
2010104050.tif 000011
【図１０】
2010104050.tif 000012
【図１１】
2010104050.tif 000013
【図１２】
2010104050.tif 000014
【国際調査報告】
2010104050.tif 000015
2010104050.tif 000016
2010104050.tif 000017
2010104050.tif 000018